(57)【要約】【課題】本発明は、食品等を収容する包装袋や果物等を収容するネットなどの包装体の開放端部（袋口部）を閉じるために使用する合成樹脂製の結束具に関するもので、簡単な構成で確実な結束と抜け防止を可能にしたものである。【解決手段】本発明は、一対の脚部５を有する差込体２と、この差込体２の脚部５を圧入する一対の穴１７を有する受け体３とから成る結束具１において、前記脚部５の先頭部位に弾性可能な係止突部１１を備え、前記穴１７の内部にこの係止突部１１を係止させる段差部２２を設けるとともに、差込体２と受け体３それぞれに、圧縮して結束する包装体の袋口部の最小集積容積に等しい緊締部２５を作成するための内形部６、１６を設けた結束具１であり、簡単な構成で脚部５の圧入と係止を可能とし、袋口部の結束を効率的に、かつ確実に行うものである。【選択図】図１
2013230819.tif 000002
【特許請求の範囲】
【請求項１】
一対の脚部を有する差込体と、この差込体の脚部を圧入する一対の穴を有する受け体とから成る結束具において、前記脚部の先頭部位に弾性可能な係止突部を備え、前記穴の内部にこの係止突部を係止させる段差部を設けるとともに、差込体と受け体それぞれに、圧縮して結束する包装体の袋口部の最小集積容積に等しい緊締部を作成するための内形部を設けた結束具
【請求項２】
係止突部に弾性を付与する溝を形成するとともに、穴の段差部と係止する段差部を設けることで、脚部を穴に圧入するときに、穴への圧入負荷をできるだけ少なくすることと、段差部通過後に係止を確実に行うことを可能にした請求項１の結束具
【請求項３】
係止突部の二面に溝とは直行する方向に係止突部を一部削除する直線状の垂直部を設けることで、脚部圧入時の受け体の穴に懸かる押圧力を緩和させることを可能にした請求項１または請求項２の結束具
【請求項４】
差込体の一対の脚部の間および受け体の穴の間に、緊締部を作成する内形部を設け、かつ脚部の基部に前記内形部に繋がる傾斜面部を設けることで、脚部を穴に圧入した時に、包装体の袋口を円滑に緊締部へ移動させることを可能にした請求項１または請求項２もしくは請求項３の結束具
【請求項５】
傾斜面部に代えて湾曲面部とした請求項４の結束具
【発明の詳細な説明】
【技術分野】
【０００１】
本発明は、食品等を収容する包装袋や果物等を収容するネットなどの包装体の開放端部（袋口部）を閉じるために使用する合成樹脂製の結束具に関するものである。
【背景技術】
【０００２】
従来から包装袋またはネットなどの包装体を結束する結束具としてU字状をしたステープルのみから成り、これを包装体に巻きつけることで結束するものが知られている（特許文献１参照）。
【０００３】
しかし、この結束具はステープルのみによって結束するものであるため、構造的に強固な結束力を得ることは困難であった。
【０００４】
この結束力の不足を補うために、別タイプの結束具として、本体に脚部を設けた概略U字状のステープルと、このU字状の脚部を固定するための受け穴を設けた受け部とを組み合わせた２部材から成る結束具が使用されている（特許文献２参照）。この結束具においては、結束力強化として脚部の抜けを防止するために、脚部の太さを受け穴の径よりも大きくしたり、両者を熔着させたり、また圧入後に折り曲げたり、押しつぶしたりする構成を採用している。
【０００５】
しかしこの結束具では、ステープルと受け部との結束が圧入と熔着、かしめなど結束力が未だ十分とはいえず、たとえば結束部分に予期しないほどの負荷がかかった場合に、結束が緩むおそれが考えられるものであった。
【０００６】
また他に結束具の結束を十分に高めるものとして階段状の係合突起を備えた結束具が考えられている（特許文献３参照）。この結束具は、薄膜ヒンジで枢動可能にして結合した2個の部分を結束する際に、一方の部分のアームに設けた階段状の戻り止め歯と、他方の部分の舌片に設けた階段状の戻り止め歯とを係合させるものである。
【０００７】
この結束具においては、階段状の戻り止め歯相互が噛み合う形で係合するものであるため、強固な結束がなされるものであるが、構成が複雑であることから製作型の作成などに手間がかかり、結果として高価なものとなってしまう課題を有するものであった。
【先行技術文献】
【特許文献】
【０００８】
【特許文献１】特開２００２−２７６６２１号公報
【特許文献２】特開２００４−２６２８９号公報
【特許文献３】特表平９−５０１３７９号公報
【発明の概要】
【発明が解決しようとする課題】
【０００９】
以上述べたように今までの結束具には、結束後に包装体が利用される際に乱暴に取り扱われた場合などに十分な結束を保持できるかという問題と、結束の保持は十分確保できても高価なものになってしまって、食品等を収容する包装袋や果物等を収容するネットなどの包装体に多量に使用するものとしては、価格の面から不適なものと考えられる課題を有するものであった。
【課題を解決するための手段】
【００１０】
本発明はこれらの課題を解決したもので、簡単な構成で安価に作成でき、しかも包装体などの被結束物に対する結束を効率的かつ確実に行うことを可能にしたものである。
【００１１】
本発明は、一対の脚部を有する差込体と、この差込体の脚部を圧入する一対の穴を有する受け体とから成る結束具において、前記脚部の先頭部位に弾性可能な係止突部を備え、前記穴の内部にこの係止突部を係止させる段差部を設けるとともに、差込体と受け体それぞれに、圧縮して結束する包装体の袋口部の最小集積容積に等しい緊締部を作成するための内形部を設けた結束具を提供する。
【００１２】
本発明によれば、脚部の先頭部位に弾性可能な係止突部を設け、受け体の穴にこの係止突部を係止させる段差部を設けるという簡単な構成で、脚部の圧入と係止を確実なものにすることを可能としたものである。また差込体と受け体に、結束する包装体の袋口部の集積容積に等しい緊締部を作成するための内形部を設けることで、袋口部の結束を確実なものにするものである。
【００１３】
また本発明は、係止突部に弾性を付与する溝を形成するとともに、穴の段差部と係止する段差部を設けることで、脚部を穴に圧入するときに、穴中の移動時における圧入負荷をできるだけ少なくすることと、穴の段差部通過後に係止を確実に行うことを可能にする構成を提供する。
【００１４】
また本発明は、係止突部の二面に溝とは直行する方向に係止突部を一部削除する直線状の垂直部を設けることで、脚部圧入時の受け体の穴に懸かる押圧力を緩和させることを可能にする構成を提供する。
【００１５】
さらに本発明は、差込体の一対の脚部の間および受け体の穴の間に、緊締部を作成する内形部を設け、かつ脚部の基部に前記内形部に繋がる傾斜面部もしくは湾曲面部を設けることで、脚部を穴に圧入した時に、包装体の袋口を円滑に緊締部へ移動させることを可能にしたものである。
【発明の効果】
【００１６】
以上のように本発明によれば、脚部の先頭部位に弾性可能な係止突部を設け、その脚部を圧入する穴に段差部を形成するという簡単な構成で抜け止めが確実に行われ、かつ包装体の袋口部がその最小集積容積量の緊締部で結束するものであるため、確実、緊密、密封性のある結束を可能にしたものである。
【００１７】
また抜け止め防止用の係止突部に直径を一部減少させる垂直部を設けることで、脚部圧入時に穴に懸ける押圧力を減少させ、受け体に損傷が生ずる可能性を無くしたものである。
【００１８】
また、脚部先端の係止突部に溝を形成し段差部を設けることで、穴の段差部の通過と係止を可能にする。さらに脚部の基部に傾斜面もしくは湾曲面を作成することで、包装体の袋口部の緊締部への移動を円滑に行い、その結束を容易かつ確実に行うことができるものである。
【図面の簡単な説明】
【００１９】
【図１】本発明結束具の実施形態を示す図面で、（A）は斜視図、（B）は結束具を構成する差込体と受け体とを分離させて示した斜視図
【図２】本発明結束具の実施形態を構成する差込体の図面で、（A）は平面図、（B）は左側面図、（C）は（A）のA―A線断面図
【図３】本発明結束具の実施形態を構成する受け体の図面で、（A）は平面図、（B）は（A）の右側面図
【図４】本発明結束具の別の実施形態を示す、厚さ中央で水平に切断した縦断面図
【図５】差込体の脚部を受け体の穴に差し込んで包装体の袋口部を結束した後の状態を示す説明図
【発明を実施するための形態】
【００２０】
本発明は一対の脚部を有する差込体と、この差込体の脚部を圧入する一対の穴を有する受け体とを備え、簡単な構成で結束時における包装体袋口部の結束と脚部の抜け防止および脚部圧入時における受け体に生ずる損傷の可能性を除去することなどを、効率的かつ確実に行うことを可能にしたものである。
【００２１】
以下図面により本発明結束具の実施形態について説明する。図１（A）は合成樹脂で作成した差込体２と、同じく合成樹脂で作成した受け体３とから成る結束具１を示す斜視図であり、（B）はこの結束具１を構成する差込体２と受け体３とを分離させて示した斜視図である。
【００２２】
結束具１は差込体２の脚部５を受け体３の穴１７に圧入し、受け体３の穴１７に設けた段差部２２に脚部５先端部に形成した係止突部１１を係止させることで、差込体２を受け体３に結合するものである。そのとき差込体２の内形部６と受け体３の内形部１６とにより、包装体の袋口部を固く密封する緊締部２５を形成するものである。（B）はこれら差込体２と受け体３とを分離した状態を示しているが、これは両者が結合する前の状態を示すものである。なお、差込体２および受け体３はポリカボネート樹脂のような、硬質ではあるが押圧に対して幾分かの弾性を有している素材を使用する。
【００２３】
なお結束具１は図５で示すように、包装体２８の袋口部２９を緊締部２５に導き、そこで密封状態にして結束するものである。
【００２４】
この結束作業は差込体２および受け体３を別個に結束機の所定箇所に装着し、自動的に結束箇所に送りこんで行うものであるが、この作業を行うために差込体２、受け体３には案内溝２６を、また差込体２に受け壁２７を設ける。案内溝２６は差込体２の本体４と受け体３の表、裏面に設けて、結合時（結束時）に差込体２、受け体３を案内するためのものであり、受け壁２７は差込体２を受け体３に圧入する際にプランジャーで押圧するために設けたものである。
【００２５】
図２の（A）は差込体１の平面図、（B）は左側面図、（C）は（A）のA―A線断面図である。差込体２は、概略半円形状をした扁平の本体４と、この本体４の直立面部７から突出して形成し、その基部９の一部に傾斜面部１０を設けるとともに先端部に係止突部１１を形成した一対の脚部５とから成るもので、本体４は直立面部７の中央に半円の内形部６を設け、この内形部６より径を大きくした概略半円の外形部８をその外側面側に設ける。そのため脚部５の主体１４は内形部６より僅か離れて立設しているが、その間には基部９に設けた傾斜面部１０が設けられている。また外形部８はその内側の端を直立面部７の両端に繋がって形成されており、本体４の表、裏面には前記した案内溝２６を、また外形部の脚部５と対向する側に受け壁２７を設ける。
【００２６】
脚部５は円筒状の主体１４の先端部に直角の係合段差部１２を介して主体１４よりも大径の係止突部１１を形成する。係止突部１１は概略傘形形状でその頂部に直線状のV字溝１３を形成する。また係止突部１１はV字溝１３の両端部側に傘形状の一部を直線状に削除した垂直部１５を形成する。この垂直部１５は（C）の断面図で示したように主体１４の切線で切断した面であり、後記受け体３の穴１７に脚部５を圧入した時に、この垂直部１５が受け体３の表、裏面と平行になる面となるように結束具１を作成する。また係止突部１１はこの垂直部１５を形成することにより、上方から見て傘形の二面を円状、二面を直線状の形状とし、この二面の円状部分が主体１４よりも係合段差部１２だけ外側に突出したものになる。
【００２７】
V字溝１３は係止突部１１の上面から下側に斜めに切り削いだ形状で、深さは係合段差部１２のある位置より下方にまで達するものとする。そのため係止突部１１はV字溝１３があるため、その側方から力を加えるとV字溝１３が内側に狭まって直径を小さくする方向に変形し、その力を開放すると元の直径に復帰する特性を有している。
【００２８】
また脚部５の基部９の一部に設けた傾斜面部１０は、その基部９から内形部６にかけて傾斜した面を形成したもので、包装体２８の袋口部２９を結束するときにこの袋口部２９が傾斜面部１０に沿って内形部６と受け体３の内形部１６で形成する緊締部２５に押し込まれる動きを促進する機能を有する。
【００２９】
図３の（A）は受け体３の平面図、（B）は右側面図である。受け体３は扁平の概略半円形状をしており、中央に半円の内形部１６を設け、一対の総体円筒形状の穴１７を開口した直立面部１８と、この内形部１６よりも大きな半径の半円形状の外形部１９から成る。外形部１９はその内側の端を直立面部１８の両端に繋がって形成されている。またこの受け体３の厚さ、幅は差込体２の本体４の厚さ、幅と同じで、奥行きは差込体２の本体４の長さとほぼ同じ長さに作成する。また受け体３の表、裏面には前記した案内溝２６を形成する。
【００３０】
受け体３の内形部１６と、差込体２の内形部６とは相対向した位置に設けられており、両半円形状内形部１６、６の半径の大きさは同じで、差込体２と受け体３とを結束させたときに、両内形部１６、６によって結束用の緊締部２５が形成される。この緊締部２５の大きさは、結束する包装体２８の袋口部２９の結束位置に圧縮して集積する最小の容積と等しいものにする。また穴１７の形成位置は、差込体２の脚部５の形成位置と対応した位置に設定されており、差込体２、受け体３の結束時に穴１７と脚部５両者の位置が合致するように形成される。
【００３１】
穴１７は差込体２の脚部５を完全に納められるような形状に形成されていて、内形部１６に接して設けられている。穴１７の直立面部１８側は脚部５の基部９に応じて広げた裾野凹部２０を形成しており、その上部は脚部５の主体１４と同じ直径の円筒空間状の円柱穴２１にし、その円柱穴２１の上部は直角に径を広げた係止段差部２２を介して、外形部１９に連通している開放穴２３としている。
【００３２】
また穴１７は前記したように、内形部１６に繋がる側については、脚部５の基部９の一部に設けた傾斜面部１０の形状に合わせて（一致させて）傾斜形状の傾斜面部２４を形成している。穴１７の傾斜面部２４を含めた裾野凹部２０に円柱穴２１を加えた長さ（深さ）は、差込穴２の傾斜面部１０を含めた基部９に主体１４を加えた長さ（高さ）よりも僅か短く作成する。そのため、脚部５を穴17に圧入したとき、係止突部１１が穴１７の係合段差部１２から突出した瞬間に、それまで円柱穴２１の壁面に押圧されて進んできた係止突部１１の張り出し部分が元の傘形形状に復帰することができる。
【００３３】
したがって、差込体２の脚部５を受け体３の穴１７に圧入すると、脚部５の係止突部１１が穴１７の円柱穴２１を押圧しながら進み、係止段差部２２を通過してその係合段差部１２を係止段差部２２に係止させて停止する。そのとき脚部５は係止突部１１が主体１４よりも大径である（張り出している）ため、穴１７の円柱穴２１を強く圧接するが、係止突部１１には縦に深く切り込んだV字溝１３が形成されているため、円柱穴２１への押圧もV字溝１３が内側に狭まりその外圧を緩衝してその進行を阻害させることはない。
【００３４】
また穴１７の表、裏面側に面する側は、厚さが薄くできているため、脚部５の圧入により生ずる穴１７の壁に対する押圧力に対して割れなどの損傷防止などの対抗策を必要とする。本発明では脚部５の円形傘状の係止突部１１の二面に垂直部１５を設けて、これを受け体３の表、裏面に対応する係止突部１１の側に位置させれば押圧力はごく小さなものとなり、その部分の割れなどの損傷への懸念を払拭することができる。
【００３５】
また脚部５の穴１７への圧入が終了したとき、すなわち脚部５の係止突部１１が穴１７の係止段差部２２を通過してV字溝１３が復帰したときには、係止突部１１の一部が再び張り出し形状となり、係合段差部１２が穴１７の係止段差部２２に係止して脚部５は穴１７から抜き取ることは不可能になる。これにより、差込体２と受け体３とは強固に結合される。
【００３６】
図４は別の実施形態を示すもので、厚さ中央で水平に切断した縦断面図である。この実施形態は、図１から図３で示した実施形態における差込体２の脚部５、受け体３の穴１７を一部変更したもので、それ以外の構成は同一のものである。すなわち、脚部５の傾斜面部１０に代えて湾曲面形状の湾曲面部３０とし、また穴１７側には傾斜面部２４に代えて、
脚部５の湾曲面部３０を受ける湾曲面部３１を設けたことが相違点であるといえる。この実施形態によれば、結束時における包装体２８の袋口部２９を、湾曲面部３０を形成したことにより、直線形状の傾斜面部１０よりも、より円滑に緊締部２５に送りこめることができることを特徴とする。
【００３７】
図５は差込体２の脚部５を受け体３の穴１７に差し込んで包装体２８の袋口部２９を結束した後の状態を示すものである。包装体２８の袋口部２９は結束具１の差込体２および受け体３の両内形部６、１６によって形成される緊締部２５内に強固に結束されており、また結束具１も差込体２と受け体３とが脚部５の係止突部１１によって確実に係止状態を保持させている。
【００３８】
次に、包装体２８の袋口部２９を結束する一連の動作を以下に説明する。包装体２８の袋口部２９を結束するときには、受け体３の一対の穴１７に差込体２の一対の脚部５を圧入して行うが、その脚部５の挿入後に、差込体２の脚部５、内形部６と、受け体３の内形部１６との間に形成される空間に包装体２８の袋口部２９を位置させる。
【００３９】
脚部５は受け体３の穴１７に挿入後、先頭部位の係止突部１１が穴１７の円柱穴２１の抵抗を排し、それを圧力で押し開きながら進行する。係止突部１１の進行においては、V字溝１３が内側に狭まり直径を小さくすることで円柱穴２１の壁からの抵抗を小さくすることができる。係止突部１１が穴１７の係止段差部２２を通過してより広くなった開放穴２３に達すると、V字溝１３が収縮状態から開放されて係止突部１１の張り出し部分を元の直径に復帰させ、その係合段差部１２を係止段差部２２に係止させて停止する。このとき、差込体２は受け体３に強固に結合しており、両者を離すことは不可能になる。
【００４０】
一方脚部５の圧入と同時に、包装体２８の袋口部２９は脚部の傾斜面部１０（もしくは湾曲面部３０）、内形部１６によって押圧されながら受け体３の内径部１６に向けて圧縮されてゆき、終には差込体２、受け体３の内径部６、１６により形成される緊締部２５内に圧縮された状態で集積される。
【００４１】
このとき脚部５に形成した傾斜面部１０（もしくは湾曲面部３０）の傾斜面形状（湾曲面形状）に応じて、袋口部２９が滑るようにして移動させられ、前記係止突部１１の係止状態完成と同時に、両内形部６、１６で形成される結束用の緊締部２５に強制的に圧送され、固く結束される。この緊締部２５の大きさは、結束する包装体２８の袋口部２９の結束位置に圧縮されて集積する最小の容積と等しいものであるため、結束は堅固で、気密を保った完全なものにすることができる。
【００４２】
上記実施形態の説明では、差込体２の脚部５圧入時における受け体３の割れ防止などの損傷対策の構成として、脚部５先頭部位の係止突部１１の径を一部小さくするために垂直部１５を設ける構成を述べているが、使用する素材を適宜に選定することで、このような垂直部１５などを設けずに傘形状そのままの形状で使用してもよい。
【００４３】
また本発明結束具１においては、結束する包装体２８の材質、大きさなどに応じて緊締部２５の直径を決定すれば、どのような包装体２８にでも対応可能なものである。その場合、差込体２、受け体３を作成する金型の内形部６、１６の部分を取り換えるのみで簡単に作成可能である。
【００４４】
また以上の実施形態の説明では、緊締部２５を作成する差込体２の内形部６と、受け体３の内形部１６とを半円状の穴として説明したが、これら内形部６、１６の内側の面に柔軟性を有する突条のような素材を設けることで、包装体２８の袋口部２９の結束をより確実に行うことができる。また緊締部２５の形状を円形でなく楕円形状にして、差込体２、受け体３の内形部６、１６をそれに応じた形状で作成してもよい。
【符号の説明】
【００４５】
１    結束具
２    差込体
３    受け体
５    脚部
６    内形部
９    基部
１０    傾斜面部
１１    係止突部
１２    係合段差部
１３    V字溝
１４    主体
１５    垂直部
１６    内形部
１７    穴
２１    円柱穴
２２    係止段差部
２３    開放穴
２５    緊締部
２８    包装体
２９    袋口部
３０    湾曲面部
【図１】
2013230819.tif 000003
【図２】
2013230819.tif 000004
【図３】
2013230819.tif 000005
【図４】
2013230819.tif 000006
【図５】
2013230819.tif 000007